(57)【特許請求の範囲】
【請求項１】
複数のディンプルと、前記複数のディンプルに囲まれた陸部とを備えたゴルフボールであって、前記陸部が、少なくとも３つの頂点を有する略凹多角形の形状を有しており、この略凹多角形の辺が、前記陸部の外側に向かって凸状に湾曲しており、前記陸部が、隣接する少なくとも２つ以上の陸部とそれぞれ実質的に点で接しており、前記陸部の面積が、０．０５ｍｍ2から１６．０ｍｍ2の範囲であり、前記複数のディンプルの各表面が、少なくともその外周から中心への方向に向かって、滑らかな曲面であるゴルフボール。
【請求項２】
前記陸部の外周の長さが、１．６ｍｍから１９．４ｍｍの範囲である請求項１に記載のゴルフボール。
【請求項３】
前記ディンプルの外周の長さが、３．２ｍｍから３８．８ｍｍの範囲である請求項１に記載のゴルフボール。
【請求項４】
前記ディンプルの１つが、４つ以上の前記陸部と接している請求項１に記載のゴルフボール。
【請求項５】
前記ディンプルの１つが、６つ以下の前記陸部と接している請求項１に記載のゴルフボール。
【請求項６】
ディンプルの表面占有率が７０％以上である請求項１に記載のゴルフボール。
【請求項７】
ディンプルの表面占有率が８０％以上である請求項１に記載のゴルフボール。
【請求項８】
前記陸部の数が４３４個から８６３個の範囲である請求項１に記載のゴルフボール。
【請求項９】
前記陸部が、三角形の内側に接する形状を有している請求項１に記載のゴルフボール。
【請求項１０】
ゴルフボール表面の複数のディンプルの設計を行う方法であって、
前記複数のディンプルに囲まれた陸部が、少なくとも３つの頂点を有する略凹多角形の形状を有しており、この略凹多角形の辺が、前記陸部の外側に向かって凸状に湾曲しており、前記陸部の面積が、０．０５ｍｍ2から１６．０ｍｍ2の範囲であり、前記陸部が、隣接する少なくとも２つ以上の陸部とそれぞれ実質的に点で接するように、複数の陸部をゴルフボールの表面に配列するステップと、
前記複数の陸部を配列するステップを行うことで、ゴルフボール表面に複数のディンプルの設計が行われるステップであって、前記複数のディンプルの表面を、少なくともその外周から中心への方向に向かって、滑らかな曲面とするステップと
を含む方法。
【請求項１１】
前記陸部の外周の長さが、１．６ｍｍから１９．４ｍｍの範囲である請求項１０に記載の方法。
【請求項１２】
前記ディンプルの外周の長さが、３．２ｍｍから３８．８ｍｍの範囲である請求項１０に記載の方法。
【請求項１３】
前記ディンプルの１つが、４つ以上の前記陸部と接している請求項１０に記載の方法。
【請求項１４】
前記ディンプルの１つが、６つ以下の前記陸部と接している請求項１０に記載の方法。
【請求項１５】
ディンプルの表面占有率が７０％以上である請求項１０に記載の方法。
【請求項１６】
前記陸部の数が４３４個から８６３個の範囲である請求項１０に記載の方法。
【請求項１７】
前記陸部が、三角形の内側に接する形状を有している請求項１０に記載の方法。
【発明の詳細な説明】
【技術分野】
【０００１】
本発明は、ゴルフボール及びディンプルの設計方法に関し、詳しくは、飛距離が向上するようにディンプルおよび陸部が表面に形成されたゴルフボール及びこのようなディンプルの設計方法に関する。
【０００２】
ゴルフボールの設計において、ゴルフボールを打った際に大きな飛距離を得るためには、ゴルフボール自体に備わる高反発性と、ゴルフボール表面に配置されたディンプルによる飛行時の空気抵抗の低減が重要であることがよく知られている。通常、ゴルフボールの表面には多数のディンプルが配置されており、ディンプルの表面占有率が高い程、ゴルフボールの空気力学的性能が向上すると考えられている。よって、空気力学的性能の向上を目的として、ディンプルを高密度にゴルフボール表面に配列する方法が種々提案されている。
【０００３】
通常、ゴルフボールのディンプルの設計は、所定の１つ又は複数の形状のディンプルをボール表面に配置するという手法がとられている。しかしながら、このような所定の形状のディンプルを配置する方法では、ディンプルの表面占有率が非常に高くなると、ゴルフボールの表面が球状であるため、ディンプルを均等に配置することが難しくなり、ディンプル間の隙間が広くなったり狭くなったりする箇所が発生し、ディンプル間の隙間が不均一になることが多い。ディンプル間の隙間が不均一であると、ディンプルの表面占有率が高くても、ゴルフボールの空気力学的性能が極度に悪いという可能性がある。
【０００４】
特開２００４−１０５２００号公報や特開２００４−１４１４６７号公報には、ゴルフボールの表面に多数のディンプルを形成するという従来の概念とは全く異なる、ゴルフボールの表面にリッジ状の突起物を形成することが記載されている。このようにリッジ状の突起物を形成することで、従来のディンプルの表面占有率に相当する、突起物のない部分の占有率を容易に高くすることができ、空気力学的性能を向上できることが記載されている。
【先行技術文献】
【特許文献】
【０００５】
【特許文献１】特開２００４−１０５２００号公報
【特許文献２】特開２００４−１４１４６７号公報
【発明の概要】
【発明が解決しようとする課題】
【０００６】
本発明は、ディンプルの表面占有率を高くしても、ディンプル間の隙間を均一に維持することができ、よって、空気力学的性能を向上して、より長い飛距離を得ることができるゴルフボール及びディンプルの設計方法を提供することを目的とする。
【課題を解決するための手段】
【０００７】
上記の目的を達成するために、本発明は、その一態様として、複数のディンプルと、前記複数のディンプルに囲まれた陸部とを備えたゴルフボールであって、前記陸部が、少なくとも３つの頂点を有する略凹多角形の形状を有しており、この略凹多角形の辺が、前記陸部の外側に向かって凸状に湾曲しており、前記陸部が、隣接する少なくとも２つ以上の陸部とそれぞれ実質的に点で接しており、前記陸部の面積が、０．０５ｍｍ2から１６．０ｍｍ2の範囲であり、前記複数のディンプルの各表面が、少なくともその外周から中心への方向に向かって、滑らかな曲面であるゴルフボールである。
【０００８】
本発明のこの態様において、隣接する２つの陸部は、互いに頂点同士で接することができる。略凹多角形の陸部が有する全ての頂点または一部の頂点で、隣接する陸部と接することができる。前記陸部の外周の長さは、１．６ｍｍから１９．４ｍｍの範囲とすることができる。また、前記ディンプルの外周の長さは、３．２ｍｍから３８．８ｍｍの範囲とすることができる。前記ディンプルの表面は、その全面を、滑らかな曲面とすることができる。前記ディンプルの１つが、４つ以上の前記陸部と接するように配置することができる。前記ディンプルの１つが、６つ以下の前記陸部と接するように配置することができる。ディンプルの表面占有率は、７０％以上とすることが好ましい。また、ディンプルの表面占有率は、８０％以上とすることが好ましい。前記陸部の数は、４３４個から８６３個の範囲とすることができる。前記陸部は、三角形の内側に接する形状とすることができる。
【０００９】
本発明の別の態様は、ゴルフボール表面の複数のディンプルの設計を行う方法であって、前記複数のディンプルに囲まれた陸部が、少なくとも３つの頂点を有する略凹多角形の形状を有しており、この略凹多角形の辺が、前記陸部の外側に向かって凸状に湾曲しており、前記陸部の面積が、０．０５ｍｍ2から１６．０ｍｍ2の範囲であり、前記陸部が、隣接する少なくとも２つ以上の陸部とそれぞれ実質的に点で接するように、複数の陸部をゴルフボールの表面に配列するステップと、前記複数の陸部を配列するステップを行うことで、ゴルフボール表面に複数のディンプルの設計が行われるステップであって、前記複数のディンプルの表面を、少なくともその外周から中心への方向に向かって、滑らかな曲面とするステップとを含む方法である。
【００１０】
本発明のこの態様において、前記陸部の外周の長さは、１．６ｍｍから１９．４ｍｍの範囲とすることができる。また、前記ディンプルの外周の長さは、３．２ｍｍから３８．８ｍｍの範囲とすることができる。前記ディンプルの表面は、その全面を、滑らかな曲面とすることができる。前記ディンプルの１つが、４つ以上の前記陸部と接するように配置することができる。前記ディンプルの１つが、６つ以下の前記陸部と接するように配置することができる。ディンプルの表面占有率は、７０％以上とすることが好ましい。また、ディンプルの表面占有率は、８０％以上とすることが好ましい。前記陸部の数は、４３４個から８６３個の範囲とすることができる。前記陸部は、三角形の内側に接する形状とすることができる。
【発明の効果】
【００１１】
このように本発明によれば、複数のディンプルに囲まれた陸部が、少なくとも３つの頂点を有する略凹多角形の形状とし、陸部が、隣接する少なくとも２つ以上の陸部とそれぞれ実質的に点で接するようにし、また、陸部の面積を０．０５ｍｍ2から１６．０ｍｍ2の範囲とし、複数のディンプルの各表面を、少なくともその外周から中心への方向に向かって、滑らかな曲面とすることで、ディンプルの表面占有率を高くしても、ディンプル間の隙間を均一に維持することができ、よって、空気力学的性能を向上して、より長い飛距離を得ることができるゴルフボール及びディンプルの設計方法を提供することができる。
【図面の簡単な説明】
【００１２】
【図１】本発明に係るゴルフボールの一実施の形態を示す図である。
【図２】図１に示すゴルフボールの表面の拡大図である。
【図３】（ａ）は、図１に示すゴルフボールの陸部の拡大図であり、（ｂ）は、（ａ）のＢ−Ｂ線に沿った陸部の断面図である。
【図４】本発明に係るゴルフボールにおける陸部の別の例を示す図である。
【図５】本発明に係るゴルフボールにおける陸部の更に別の例を示す図である。
【図６】本発明に係るゴルフボールの別の実施の形態の表面を示す図である。
【図７】本発明に係るゴルフボールの更に別の実施の形態を示す図である。
【図８】図７に示すゴルフボールの陸部の拡大図である。
【図９】比較例のゴルフボールを示す図である。
【発明を実施するための形態】
【００１３】
以下、添付図面を参照して、本発明に係るゴルフボールの実施の形態について説明するが、本発明は、これら実施の形態に限定されるものではない。
【００１４】
先ず、図１から図３に示す実施の形態について説明する。図１及び図２に示すように、ゴルフボール１０の表面には、複数のディンプル１４が形成されている。ゴルフボール表面のうち、ディンプルが形成されていない部分を陸部１２と呼ぶ。陸部１２とディンプル１４との境界線１３は、陸部１２の外周と呼ぶこともあれば、ディンプル１４の外周と呼ぶこともある。
【００１５】
この実施の形態では、陸部１２の外周１３の形状が、３つの頂点１１を有する略凹六角形となっている。なお、本明細書において、「凹多角形」とは、内角のうち一つ以上が１８０度より大きい角からなる多角形をいう。「ｎ角形」とは、ｎ本の辺を有する多角形をいう。「略」凹多角形には、例えば、凹多角形の辺が曲線状のものも含む。また、本明細書において、凹多角形の「頂点」とは、内角が１８０度より小さい角の端にある点をいう。よって、図２に示す陸部１２の略凹六角形は、３つの頂点１１を有する。この３つの頂点を有する略凹六角形は、単に、３つの頂点を有する星形と呼ぶこともある。
【００１６】
１つのディンプル１４の周りには、６つの陸部１２が形成されている。これにより、ディンプル１４の外周１３の形状が、略十二角形となっている。この略十二角形の頂点間の辺は、直線状ではなく、曲線状になっている。また、１つの陸部１２が、３つの陸部１２と隣接しており、隣接する陸部１２同士は、互いに頂点１１の位置において実質的に点で接している。
【００１７】
陸部１２の面積は、０．０５ｍｍ2以上とすることが必要である。一方、陸部１２の面積は、１６．０ｍｍ2以下とすることが必要である。陸部１２の面積は、０．５ｍｍ2以上が好ましく、０．６２ｍｍ2以上がより好ましい。また、陸部１２の面積は、８．５ｍｍ2以下が好ましく、１．６５ｍｍ2以下がより好ましい。
【００１８】
陸部１２の外周１３の長さは、１．６ｍｍ以上が好ましく、４．０ｍｍ以上がより好ましい。また、陸部１２の外周１３の長さは、１９．４ｍｍ以下が好ましく、９．９ｍｍ以下がより好ましい。
【００１９】
ディンプル１４の外周１３の長さは、３．２ｍｍ以上が好ましく、６．３ｍｍ以上がより好ましい。また、ディンプル１４の外周１３の長さは、３８．８ｍｍ以下が好ましく、１９．８ｍｍ以下がより好ましい。ディンプル１４の外周１３の長さを上記の範囲にすることで、陸部を以上のような設計にすることで、空気力学的な性能を向上することができる。
【００２０】
図３（ａ）は、この略凹六角形の陸部１２の拡大図であり、図３（ｂ）は、Ｂ−Ｂ線に沿った陸部１２の断面図である。図３（ｂ）に示すように、陸部１２の表面は、ゴルフボールの球状表面を形成する。ディンプル１４の表面は、ゴルフボールの表面にディンプルがないと仮定した仮想球面から窪んでおり、陸部１２との境界線１３から、ディンプル１４の深さが最も深い位置であるディンプル１４の中心１５へと向かって、滑らかな曲面の形状を有している。
【００２１】
なお、図２に示すように、ディンプル１４の表面は、円周方向には、１２個の区分に分かれており、各区分においてディンプル１４の外周１３から中心１５に向かって滑らかに湾曲している一方、各区分間には稜線１６が形成される。
【００２２】
ディンプル１４の深さに関して、本発明は特に限定されるものではないが、最も深い位置である中心１５での深さは、例えば、０．０５ｍｍ以上が好ましく、０．１０ｍｍ以上がより好ましい。一方、中心１５での深さは、０．４５ｍｍ以下が好ましく、０．３５ｍｍ以下がより好ましい。
【００２３】
このように、所定の形状を有する陸部１２をゴルフボール１０表面に配置し、ゴルフボール表面のディンプル１４の設計を行うとともに、隣接する陸部１２同士が実質的に点で接するように、複数の陸部１２を配列することで、ゴルフボール１０の仮想の球状表面に占めるディンプル１４の表面の割合、すなわち、ディンプル１４の表面占有率を高くしても、ディンプル１４間の隙間を均一にすることができる。よって、ゴルフボールの空気力学的性能が顕著に向上して、より長い飛距離を得ることができる。また、陸部の形状を変化させることで、ディンプル１４の表面占有率を容易に制御することができる。
【００２４】
ディンプルの表面占有率は、７０％以上が好ましく、８０％以上がより好ましい。ディンプルの表面占有率を７０％以上とすることで、空気抵抗を低下させることができる。一方、ディンプルの表面占有率は、９９％以下が好ましい。
【００２５】
ゴルフボール表面に形成される陸部１２の総数は、４３４個以上が好ましく、５４０個以上がより好ましい。一方、陸部１２の総数は、８６４個以下が好ましく、７５６個以下がより好ましい。陸部１２の総数を、このような範囲にすることで、ゴルフボール１０表面のディンプル１４の表面占有率を上記の好ましい範囲に設計することができる。
【００２６】
ゴルフボール表面に形成されるディンプルの総数は、この陸部の総数および陸部とディンプルの関係に応じて決定される。例えば、陸部の総数が４３４個の場合、６個の陸部で１個のディンプルを形成すると、ディンプルの総数は２１８個となる。同様に６個の陸部で１個のディンプルを形成すると、陸部の総数が５４０個の場合、ディンプルの総数は２７２個となり、陸部の総数が７５６個の場合、ディンプルの総数は３８０個となり、陸部の総数が８６４個の場合、ディンプルの総数は４３４個となる。
【００２７】
なお、図１から図３に示す陸部１２の形状は、凹多角形の辺が、陸部の外側に向かって凸状に小さく湾曲させた星形としたが、他の実施の形態として、図４に示すように、陸部１２ａの形状は、凹多角形の辺を、陸部の内側に向かって凹状に湾曲させた星形とすることもできる。また、図５に示すように、陸部１２ｂの形状は、凹多角形の辺を、陸部の外側に向かって凸状に大きく湾曲させた形状とすることもできる。後者の場合、陸部１２ｂの形状は、星形よりも、三つ葉のクローバ形と呼ぶ方がふさわしいであろう。
【００２８】
また、図１から図５には、陸部の形状が、３つの頂点を有する略凹六角形である例を示したが、本発明は、これに限定されるものではなく、陸部の形状は、例えば、４つの頂点を有する略凹八角形や、５つの頂点を有する略凹十角形などのｎ個の頂点を有する略凹ｎ×２角形（ｎは３以上の自然数）とすることができる。
【００２９】
さらに、図１から図５には、ゴルフボール表面に形成される陸部およびディンプルがそれぞれ全て同一形状とする例を示したが、本発明はこれに限定されるものではなく、複数の形状の陸部を用いたり、複数の形状のディンプルが形成されるようすることもできる。例えば、図６に、３種類の形状の陸部を用いてディンプルを形成したゴルフボールの表面を示す。
【００３０】
図６に示すように、この実施の形態では、５つの頂点を有する略凹十角形の第１の陸部５２と、４つの頂点を有する略凹八角形の第２の陸部５３と、３つの頂点を有する略凹六角形の第３の陸部５４が形成されている。第１、第２および第３の陸部５２、５３、５４は、それぞれ有する頂点の数と同じ個数の陸部と隣接している。隣接する陸部５２、５３、５４同士は、互いに頂点５１の位置において実質的に点で接している。
【００３１】
また、１つのディンプル５６の周りには、４つの陸部５２、５３、５４が形成されている。これにより、ディンプル５６の外周５５の形状が、略八角形となっている。略八角形の形状は、全て同じではなく、大小の違いや、細長く歪んだりと、複数の変形した略八角形のディンプル５６が形成されている。いずれの略八角形のディンプル５６も、外周５５から深さが最も深い位置である中心５７へと向かって、滑らかな曲面の形状を有している。また、ディンプル５６の表面は、円周方向に８個の区分に分かれており、各区分間には稜線５８が形成される。
【００３２】
このように複数の形状の陸部５２、５３、５４を用いて、複数の形状のディンプル５６を形成しても、ゴルフボール全体から見てディンプル５６間の隙間を均一にすることができ、ディンプル５６の表面占有率を容易に制御することができる。
【００３３】
陸部の形状としては、複数の頂点を有する略凹多角形を採用すると、陸部の配置、ディンプルの設計、およびディンプルの表面占有率の制御が容易であるが、本発明は、これに限定されるものではなく、陸部の形状が、少なくとも１つの頂点を有する図形であれば、隣接する少なくとも２つ以上の陸部とそれぞれ実質的に点で接するように多数の陸部を配置して、ディンプル間の隙間を容易に均一にすることができる。
【００３４】
例えば、図７に示す実施の形態では、ゴルフボール２０の表面にハート形の陸部２２を形成している。ハート形の陸部２２は、１つの頂点２１を有していることから、この頂点２１を、隣接するハート形の陸部２２の頂点以外の外周２３に、実質的に点で接するように配置していくことで、１つの陸部が、隣接する少なくとも２つの陸部とはそれぞれ実質的に点で接することとなる。
【００３５】
本実施の形態では、１つのディンプル２４の周りには、６つのハート形の陸部２２が形成されている。また、１つのハート形の陸部２２は、３つのハート形の陸部２２と隣接している。よって、頂点２１ではない陸部の外周２３の位置において、隣接するハート形の陸部２２同士が、実質的に点で接している。
【００３６】
このような陸部の配置により、ハート形の陸部２２に囲まれたディンプルは、通常、非円形ディンプル２４となるが、ハート形の湾曲部分を上手く利用することで、円形ディンプル２５を形成することもできる。このように、本発明に係るゴルフボールの表面に形成されるディンプルは、非円形ディンプルに限られず、円形ディンプルも含むことができる。
【００３７】
陸部２２の形状を、このようなハート形などの少なくとも１つの頂点を有する図形にする場合は、図８に示すように、三角形２８の内側に接する形状とすることが好ましい。このように陸部２２の形状を、三角形２８に内接する図形とすることで、球状であるゴルフボール表面に、陸部およびディンプルを容易にシンメトリックに配置、設計することができ、ディンプルの表面占有率も容易に制御することができる。
【００３８】
陸部２２の形状がこのようなハート形などの図形の場合も、陸部２２の面積は、略凹多角形の場合と同様に、０．６ｍｍ2から１６．０ｍｍ2の範囲内にする必要がある。陸部２２の面積は、０．５ｍｍ2以上が好ましく、０．６２ｍｍ2以上がより好ましい。また、陸部２２の面積は、８．５ｍｍ2以下が好ましく、１．６５ｍｍ2以下がより好ましい。
【００３９】
陸部２２の外周２３の長さは、略凹多角形の場合と同様に、１．６ｍｍ以上が好ましく、４．０ｍｍ以上がより好ましい。また、陸部１２の外周１３の長さは、１９．４ｍｍ以下が好ましく、９．９ｍｍ以下がより好ましい。
【００４０】
ディンプル２４の外周２３の長さは、略凹多角形の場合と同様に、３．２ｍｍ以上が好ましく、６．３ｍｍ以上がより好ましい。また、ディンプル２４の外周２３の長さは、３８．８ｍｍ以下が好ましく、１９．８ｍｍ以下がより好ましい。
【００４１】
陸部２２の形状がハート形などの図形の場合も、ディンプル２４の表面は、陸部２２との境界線２３から、ディンプルの深さが最も深い位置であるディンプル２４の中心へと向かって、滑らかな曲面の形状を有している。ディンプル２４の深さも、略凹多角形の場合と同様に、最も深い位置で、０．０５ｍｍ以上が好ましく、０．１０ｍｍ以上がより好ましい。０．４５ｍｍ以下が好ましく、０．３５ｍｍ以下がより好ましい。
【００４２】
ゴルフボールの構造は、ワンピースボールであっても、２ピース以上のマルチピースのゴルフボールであっても良い。特に、低スピン化されたマルチピースのゴルフボールに対して、本発明のディンプルをより効果的に用いることができる。ウッドクラブ＃１（ドライバー）などの長飛距離用のゴルフクラブで打球した場合に、飛距離を長くし、風に強くし、ランが長いボールを得るには、打球の揚力と抗力のバランスが適切である。この打球の揚力と抗力のバランスは、ゴルフボールの構造や使用材料と共に、特に、使用される陸部の形状、面積および総数、並びにディンプルの表面占有率等に依存する。
【００４３】
本発明に係るゴルフボールは金型により製造することができる。このような金型の作成には、３ＤＣＡＤ又はＣＡＭを使用し、反転用マスター型に、全表面形状を直接的に３次元で削りだす手法や、又は成型用金型のキャビティ部を直接３次元で削りだす手法を用いることができる。金型のパーティングラインがゴルフボール表面の陸部を通るように金型を設計することによって、仕上げ加工（トリミング）を容易にすることができる。また、ゴルフボールの球面に陸部を偏りなく展開するには、２０面体、１２面体、８面体などの多面体、３回対称、５回対称などの配置手法を利用することが好ましい。
【実施例】
【００４４】
図１に示す実施の形態のゴルフボールについて、そのディンプルの表面占有率を計算した。３つの頂点を有する略六多角形の陸部は、平均面積を０．９４ｍｍ2、平均外周を７．０ｍｍとした。陸部の総数は６４８個とした。その結果、ディンプルの表面占有率は８９．５％となった。
【００４５】
また、陸部を図４および図５に示す形状にしたゴルフボールについて、そのディンプルの表面占有率を計算した。図４の陸部は、平均面積を０．５３ｍｍ2、平均外周を６．６ｍｍとした。陸部の総数は６４８個とした。その結果、ディンプルの表面占有率は９４％となった。図５の陸部は、平均面積を１．４２ｍｍ2、平均外周を７．５ｍｍとした。陸部の総数は６４８個とした。その結果、ディンプルの表面占有率は８４％となった。
【００４６】
図７に示す実施の形態のゴルフボールでは、ハート形の陸部の平均面積を１．９８ｍｍ2、平均外周を８．０ｍｍ、数を６４８個とした。その結果、ディンプルの表面占有率は７７．６％となった。
【００４７】
一方、比較のため、図９に示す従来の円形ディンプルのみのゴルフボールについて、そのディンプルの表面占有率を計算した。円形ディンプルの総数は３９８個とした。その結果、ディンプルの表面占有率は７４．５％となった。
【００４８】
図１、図７及び図９の各ゴルフボールを、初速６６ｍｍ／ｓ、打ち出し角１０．５度、バックスピン２７００ｒｐｍの条件で、ドライバーで打った際の飛距離を測定した。その結果を表１に示す。
【００４９】
【表１】
0005475586.tif 000002
【００５０】
表１に示すように、表面占有率が約８５％と高くした図１の星形の陸部を有するゴルフボールは、図９に示す円形ディンプルで表面占有率が約７５％の従来のゴルフボールと比べて、ゴルフボールの飛距離がキャリーおよびトータルの両方で約１ｍ伸びた。また、表面占有率が約７８％である図７のハート形の陸部を有するゴルフボールは、図９の従来のゴルフボールに対して、表面占有率が３％高いだけで、飛距離がキャリーで約２ｍ、トータルで約１ｍ伸びた。
【符号の説明】
【００５１】
１０  ゴルフボール
１１  陸部の頂点
１２  陸部（星型）
１３  境界線（陸部の外周、ディンプルの外周）
１４  ディンプル
１５  ディンプルの中心
１６  ディンプル内の稜線
２０  ゴルフボール
２１  陸部の頂点
２２  陸部（ハート形）
２３  境界線
２４  非円形ディンプル
２５  円形ディンプル
２８  陸部が内接する仮想三角形
５１  陸部の頂点
５２  第１の陸部（５つの頂点を有する星形）
５３  第２の陸部（４つの頂点を有する星形）
５４  第３の陸部（３つの頂点を有する星形）
５５  境界線
５６  ディンプル
５７  ディンプルの中心
５８  ディンプル内の稜線
６０  比較例のゴルフボール
【図１】
0005475586.tif 000003
【図２】
0005475586.tif 000004
【図３】
0005475586.tif 000005
【図４】
0005475586.tif 000006
【図５】
0005475586.tif 000007
【図６】
0005475586.tif 000008
【図７】
0005475586.tif 000009
【図８】
0005475586.tif 000010
【図９】
0005475586.tif 000011